(57)【要約】  【課題】商品通路を構成する商品案内板と可動フラップの構成を簡素化し、商品の姿勢制御を維持した自動販売機の商品収納装置を提供する。  【解決手段】複数の湾曲部を一体に形成した商品案内板２５を上下方向に複数連結して、かつ同一の固定ピン２７で上下商品案内板２５を固定するものである。  これによって上下商品案内板２５をほぼ隙間なく連結できるので、転動する商品姿勢の維持を図るとともに、通路形成部材を補強することができ、かつ長さの異なる商品通路２４に対しても商品案内板２５の組み合わせ数で対応することができる。また製造工程での商品案内板の取扱いが行いやすく、組立性を向上することが出来る。【選択図】図２
2008117170.tif 000002
【特許請求の範囲】
【請求項１】
一対の側板の間に対向配置して蛇行状の商品通路を構成する湾曲状の商品案内板と、前記商品案内板の上端部と下端部とを固定ピンを介して前記側板に固定して、前記商品案内板を上下方向に複数備えた自動販売機の商品案内装置において、前記商品案内板は複数の湾曲部を一体に形成して構成され、前記商品通路は前記商品案内板を上下方向に複数連結し、上部商品案内板の下端部と下部商品案内板の上端部を同一の固定ピンで連結固定したことを特徴とする自動販売機の商品収納装置。
【請求項２】
上部商品案内板の下端部と下部商品案内板の上端部に、固定ピンを挿入する複数の連結部が前記商品案内板の幅方向に亘って構成されていることを特徴とする請求項１に記載の自動販売機の商品収納装置。
【請求項３】
商品案内板には商品通路内に向かって付勢するフラップを備え、前記フラップは前記商品案内板の連続する湾曲部間で、商品通路内に最も突出した位置に配置したことを特徴とする請求項１または２に記載の自動販売機の商品収納装置。
【請求項４】
フラップは商品案内板の曲率半径の略延長線上に付勢待機するように、略同一の曲率半径で形成されたことを特徴とする請求項３に記載の自動販売機の商品収納装置。
【請求項５】
商品案内板に段差部を備え、可動フラップが付勢力に抗して下方に回動し前記商品案内板に重なったとき、前記段差部によって前記可動フラップと前記商品案内板はほぼ同一面になることを特徴とする請求項４に記載の自動販売機の商品収納装置。
【発明の詳細な説明】
【技術分野】
【０００１】
本発明は複数の湾曲部を一体に形成した自動販売機の商品収納装置に関するものである。
【背景技術】
【０００２】
従来、この種の自動販売機の商品収納装置で、複数の湾曲部を一体に形成した商品収納装置を備えた特許文献１のものがある。
【０００３】
図５は特許文献１に記載された従来の収納装置を示すものである。図５に示すように、左右の側板１、２の間に上下方向に蛇行して商品を積み重ねて収納する。隣合う通路形成板３間に商品通路４を形成する。
【０００４】
それぞれの通路形成板３、上下方向に小湾曲部３ａと大湾曲部３ｂが交互に連なる蛇行状の断面形状を成形する平板素材を使用し、通路形成板３がたわみ易くなる手段が施されている。突片５は通路形成板３の両端部より突出し、通路形成板３の支持強度が確保されるように適正間隔に調整されて多数設けられている。
【０００５】
取付孔６は左右の側板１、２に蛇行状に備えられており、通路形成板３の突片５を貫通させて支持している。また間隔保持ピン７は、その両端部が左右の側板１、２に備えた係合孔８を貫通し、左右の側板１、２の間隔が広がらないように複数個適正配置され、左右の側板１、２に固定する。
【０００６】
以上のように構成された商品収納装置について、以下その作用を説明する。
【０００７】
通路形成板３は、素材の縦弾性係数が小さくて、たわみやすくなる素材を使用するか、厚さを薄くするかなどして、通路形成板３がたわみ易くなる手段が施されており、左右の側板１、２に通路形成板３の突片５を挿入することで、事前に蛇行状の断面形状を成形するプレ加工を用いなくても、商品通路４が上下方向に小湾曲部３ａと大湾曲部３ｂを交互に連なる蛇行状の断面形状となる。
【０００８】
また、側板１、２に対して１枚の通路形成板３が上下方向にたわみ形成されて商品通路４が構成されている。
【特許文献１】特開２０００−２１５３５０号公報
【発明の開示】
【発明が解決しようとする課題】
【０００９】
しかしながら、上記従来の構成では、２つの通路形成板３を対向させて商品通路を形成しており、特にたわみ易い材料等で形成されているため、側板１、２に組立てる時、変形しやすく、また繋ぎ目のない１枚の通路形成板３のため取扱いにくく、自動販売機の種類によって通路形成板３の長さや、商品の種類によってたわみ形状も異なるので、複数種類の通路形成板３をストックしておく必要もあるという課題を有していた。
【００１０】
本発明は、上記従来の課題を解決するもので、商品通路の長さに関係なく取扱いやすい商品案内板を構成し、構造が簡単で作業性を向上させた自動販売機の商品収納装置を提供することを目的とする。
【課題を解決するための手段】
【００１１】
上記従来の課題を解決するために、本発明の自動販売機の商品収納装置は、複数の湾曲部を一体に形成した商品案内板を上下方向に複数連結して、かつ同一の固定ピンで上下商品案内板を固定するものである。
【００１２】
これによって上下商品案内板をほぼ隙間なく連結できるので、転動する商品姿勢の維持を図るとともに、通路形成部材を補強することができ、かつ長さの異なる商品通路に対しても商品案内板の組み合わせ数で対応することができる。また製造工程での商品案内板の取扱いが行いやすく、組立性を向上することが出来る。
【発明の効果】
【００１３】
本発明の自動販売機の商品収納装置によれば、複数の湾曲部を一体に形成した商品案内板で、複数の商品案内板を上下に接続して商品通路を構成するので、通路長さの異なる商品収納装置に対して、商品案内板の組合せ方で対応することができる。また、複数の商品案内板を固定ピンで上下に連結していくので、商品通路構造の補強をすることができる。
【発明を実施するための最良の形態】
【００１４】
請求項１に記載の発明は、一対の側板の間に対向配置して蛇行状の商品通路を構成する湾曲状の商品案内板と、前記商品案内板の上端部と下端部とを固定ピンを介して前記側板に固定して、前記商品案内板を上下方向に複数備えた自動販売機の商品案内装置において、前記商品案内板は複数の湾曲部を一体に形成して構成され、前記商品通路は前記商品案内板を上下方向に複数連結し、上部商品案内板の下端部と下部商品案内板の上端部を同一の固定ピンで連結固定したものである。
【００１５】
これにより、上下商品案内板をほぼ隙間なく連結できるので、転動する商品姿勢の維持を図るとともに、通路形成部材を補強することができ、かつ長さの異なる商品通路に対しても商品案内板の組み合わせ数で対応することができる。
【００１６】
請求項２に記載の発明は、請求項１に記載の発明にさらに、上部商品案内板の下端部と下部商品案内板の上端部に、固定ピンを挿入する複数の連結部が前記商品案内板の幅方向に亘って構成されているものである。
【００１７】
これにより、簡単な機構で同一の固定ピンに上下商品案内板を連結することができる。
【００１８】
請求項３に記載の発明は、請求項１または２に記載の発明にさらに、商品案内板には商品通路内に向かって付勢するフラップを備え、前記フラップは前記商品案内板の連続する湾曲部間で、商品通路内に最も突出した位置に配置したものである。
【００１９】
これにより、湾曲部から下方の湾曲部へ転動する間、商品は可動フラップによって支持されることになるので、商品が支持されない自由落下状態を低減することができ、商品の安定姿勢を維持することができる。
【００２０】
請求項４に記載の発明は、請求項３に記載の発明にさらに、可動フラップは商品案内板の曲率半径の略延長線上に付勢待機するように、略同一の曲率半径で形成されたものであり、商品案内板から可動フラップへ商品が転動するときの商品姿勢を維持しやすく、また可動フラップが付勢力に抗しながら回動して、下方の商品案内板に接触しても、可動フラップの面と商品案内板の面とが接触するので、商品へ余計な外力を与えるのを低減し、さらに商品姿勢を維持させることができる。また商品案内板の傷つきを低減することもできる。
【００２１】
請求項５に記載の発明は、請求項４に記載の発明にさらに、商品案内板に段差部を備え、可動フラップが付勢力に抗して下方に回動し前記商品案内板に重なったとき、前記段差部によって前記可動フラップと前記商品案内板はほぼ同一面になるものである。
【００２２】
これにより、商品転動時に商品通路面から受ける外力をさらに低減することができる。
【００２３】
以下、本発明の実施の形態について、図面を参照しながら説明する。なお、この実施の形態によって本発明が限定されるものではない。
【００２４】
（実施の形態１）
本発明の実施の形態１を図１から図４を参照して説明する。図１は本発明の実施の形態１における自動販売機の縦断面図、図２は同実施の形態の自動販売機の商品収納装置の部分斜視図、図３は同実施の形態の自動販売機の商品収納装置の要部断面図、図４は同実施の形態の自動販売機の商品収納装置の要部断面図である。
【００２５】
図において、自動販売機２０の奥行き方向すなわち前後方向に商品収納装置２１を複数列設け、この商品収納装置２１の上部の収納口２１ａから缶、ビンあるいはペットボトル等の商品を横倒し姿勢で投入し、商品収納装置２１内を落下させて収納する。商品収納装置２１の下部に備えた商品搬出機構部２２によって、一個ずつ搬出され取出口２３に排出される。
【００２６】
商品収納装置２１は商品が蛇行状に転動するように商品通路２４を、金属部材で成型された湾曲状の商品案内板２５を上下方向に複数備え対向配置して形成されている。また商品通路２４の左右両側には１対の側版２６が配置されている。
【００２７】
次に商品案内板２５の構造について説明すると、１つの商品案内板２５は複数の大湾曲部２５ａと小湾曲部２５ｂが交互に連なり蛇行状の断面形状を成している。商品案内板２５の上端部には上カール部２５ｃを幅方向に亘って複数個備え、下端部には下カール部２５ｄが一体成形されている。
【００２８】
そしてこの商品案内板２５を上下方向に複数配置し、上部商品案内板２５の下カール部２５ｄと下部商品案内板２５の上カール部２５ｃは同軸上に噛み合うように接続され、同じ固定ピン２７によって貫通され、連結固定されている。
【００２９】
また商品通路２４内に向かった付勢する可動フラップ２８が、商品案内板２５の大湾曲部２５ａ間に連なった小湾曲部２５ｂの商品通路２４内に突出した位置にある。商品通路２４外で、小湾曲部２５ｂの後方には、可動フラップ２８の回転軸となる軸ピン２９が両側板２６間に構成され、可動フラップ２８は軸ピン２９に回動自在に軸支されている。
【００３０】
具体的には、小湾曲部２５ｂの一部に開口孔２５ｅが形成され、可動フラップ２８のカール部２８ａが開口孔２５ｅを商品通路２４内側から貫通し軸ピン２９に連結されて回動自在に構成されている。また可動フラップ２８は商品通路２４内側に付勢するようにバネ部材３０を軸ピン２９に挿通している。
【００３１】
また上部商品案内板２５と下部案内板２５とが連通される部分にも可動フラップ２８が構成されており、可動フラップ２８のカール部２８ａが、上カール部２５ｃと下カール部２５ｄと同軸上になるように接続され、バネ部材３０を介して固定ピン２７に挿通している。
【００３２】
また可動フラップ２８は商品案内板２５の大湾曲部２５ａの曲率半径とほぼ同じ曲率半径となるように湾曲状に形成され、商品待機時は、商品案内板２５の延長線上になるようにバネ部材２９で付勢されて待機している。
【００３３】
以上のように構成された商品収納装置２１の商品案内板２５と可動フラップ２８について、以下その動作と作用を説明する。
【００３４】
商品収納装置２１の上部の収納口２１ａから缶、ビンあるいはペットボトル等の商品を横倒し姿勢で投入し、商品通路２４内を落下させると、商品は側板２６に固定された商品案内板２５に接触しながら下方へ転動していく。そして商品案内板２５から可動フラップ２８に移動した時、商品案内板２５の延長円弧上に可動フラップ２８があるので、商品案内板２５上を転動してきた商品は可動フラップ２８に移動してもフラップ面に出来るだけ長く支持されながら、下方の対向位置にある次の商品案内板２５に移動するので、商品がどの通路板にも支持されない自由落下時間を極力低減できるので、商品の姿勢安定性をさらに維持することができる。
【００３５】
また、可動フラップ２８はバネ部材３０の付勢力に抗して、固定ピン２７または軸ピン２９を軸に下方へ回動する。可動フラップ２８が固定ピン２７または軸ピン２９を中心に回動してもバネ部材３０によって可動フラップ２８に常に付勢力を与えるので、付属部品を係合させて可動フラップ２８に付勢力を与える必要がなく、簡単な構造で構成することができる。
【００３６】
また１つの固定ピン２７に上部商品案内板２５と下部商品案内板２５と可動フラップ２８とが連結されるので、固定ピンの本数を低減することができ、商品収納装置２１の構造を簡素化することができる。
【００３７】
そして図２のように可動フラップ２８が上部商品案内板２５の下端部と、小湾曲部２５ｂの商品通路２４内に最も突出した頂部近傍に構成されているので、可動フラップ２８は下部商品案内板２５の通路面に接触するところまで回転可能になるので、商品が上部商品案内板２５から下部商品案内板２５に転動する過程で、できるだけ長く可動フラップ２８に接触しながら、連続して下部商品案内板２５に転動するので、商品は可動フラップ２８に支持されない距離を低減し、商品姿勢を維持することができ、商品通路２４内での詰まりを低減することができる。
【００３８】
また、軸ピン２９は商品通路２４外で小湾曲部２５ｂごとに近接もしくは接触して配置しているので、商品案内板２５の補強部材としても作用し、商品収納時の商品案内板２５の横方向へのたわみを規制することができる。
【００３９】
また可動フラップ２８は商品案内板２５の曲率半径とほぼ同一の曲率半径で形成されているので、可動フラップ２８が回動して下部商品案内板２５に接触したとき、可動フラップ２８の商品接触面の外面が下部商品案内板２５の通路内面と重なり、面と面とで接触するので、接触時に働く外力が商品へ伝わるのを低減することができ、可動フラップ２８の回動時の商品姿勢を制御し安定させることができる。また面と面とが接触するので商品案内板２５の通路面の傷つきを低減することができる。
【００４０】
また商品案内板２５と可動フラップ２８とが重なる部分では、商品案内板２５の通路面に同一の曲率半径を保ちながら段差部３１を形成しているので、可動フラップ２８が下方に回動して、商品案内板２５に接触したときに、段差部３１によって可動フラップ２８の通路内面と商品案内板２５の通路内面とがほぼ同一面となるので、可動フラップ２８と商品案内板２５間の段差を無くすことができるので、転動中の商品は姿勢を維持することができ、商品は可動フラップ２８からの衝撃による外力を受けることなくスムーズに転動するので、さらに商品姿勢を安定させることができる。
【産業上の利用可能性】
【００４１】
以上のように本発明にかかる飲料自動販売機は多種類の缶飲料やペット飲料の自動販売機に対応でき商品収納装置の品質を向上させた自動販売機を提供できる。
【図面の簡単な説明】
【００４２】
【図１】本発明の実施の形態１における自動販売機の縦断面図
【図２】本発明の実施の形態１における自動販売機の商品収納装置の部分斜視図
【図３】本発明の実施の形態１における自動販売機の商品収納装置の要部断面図
【図４】本発明の実施の形態１における自動販売機の商品収納装置の要部断面図
【図５】従来の商品収納装置の斜視図
【符号の説明】
【００４３】
２０  自動販売機
２１  商品収納装置
２４  商品通路
２５  商品案内板
２５ａ  大湾曲部（湾曲部）
２５ｂ  小湾曲部（湾曲部）
２６  側板
２７  固定ピン
２８  可動フラップ
【図１】
2008117170.tif 000003
【図２】
2008117170.tif 000004
【図３】
2008117170.tif 000005
【図４】
2008117170.tif 000006
【図５】
2008117170.tif 000007